【手続補正書】
【提出日】平成28年2月17日(2016.2.17)
【手続補正１】
【補正対象書類名】明細書
【補正対象項目名】００２０
【補正方法】変更
【補正の内容】
【００２０】
トランスデューサ１２４ａ〜ｄは、圧力を監視するためにそれぞれのポンプヘッドの出口に接続されている。溶媒マネージャ１１０はまた、一次アクチュエータ１１４、１２０およびアキュムレータアクチュエータ１１６、１２２を駆動するための電気駆動部も含む。ＣＯ２および共溶媒流体流はＴ字路１２６で混合されて、注入弁サブシステム２００まで続く移動相流体流を形成し、これはサンプルスラグを分離のために移動相流体流に注入する。
【手続補正２】
【補正対象書類名】特許請求の範囲
【補正対象項目名】全文
【補正方法】変更
【補正の内容】
【特許請求の範囲】
【請求項１】
液化ＣＯ２を含む移動相流体を用いて分離カラムに接続された流体路を加圧するステップと、その後
移動相流体を用いて流体配管およびサンプルスラグを含むサンプルループを加圧するステップと、その後
流体配管と分離カラムとの間に流体連通を確立し、それによってサンプルスラグを加圧流体路内に導入するステップと、を含む方法。
【請求項２】
流体配管およびサンプルループを大気圧にするステップをさらに含む、請求項１に記載の方法。
【請求項３】
流体配管およびサンプルスラグを含むサンプルループを加圧する前に、サンプルループおよび流体配管を大気圧にするステップをさらに含む、請求項１に記載の方法。
【請求項４】
流体路が補助弁および分離カラムを流体的に接続し、流体配管は補助弁および注入弁を流体的に接続する、請求項１に記載の方法。
【請求項５】
流体路を加圧するステップが、補助弁を通じて１つ以上のポンプから分離カラムに移動相流体を送達するステップを含む、請求項４に記載の方法。
【請求項６】
流体配管およびサンプルスラグを含むサンプルループを加圧する前に、サンプルループおよび流体配管を大気圧にするステップをさらに含み、該ステップは、移動相流体が分離カラムに送達されている間に実行される、請求項５に記載の方法。
【請求項７】
補助弁が、
第一の複数のステータポートを含む補助弁ステータと、
第一の複数の溝を含む補助弁ロータと、を含み、
補助弁ロータは、補助弁の中に異なる流体通路を形成するために、複数の個別位置の間で、補助弁ステータに対して回転可能であり、
注入弁は、
第二の複数のステータポートを含む注入弁ステータと、
第二の複数の溝を含む注入弁ロータと、を含み、
注入弁ロータは、注入弁の中に異なる流体通路を形成するために、複数の個別位置の間で、注入弁ステータに対して回転可能であり、
補助弁ロータおよび注入弁ロータのそれぞれの位置は、流体路を加圧するステップ、流体用配管およびサンプルループを加圧するステップ、および流体用配管と分離カラムとの間に流体連通を確立するステップを実行するための複数の個別構成を形成するために連係する、請求項４に記載の方法。
【請求項８】
流体路を加圧するステップが、補助弁ロータが、補助弁を通じて１つ以上のポンプから分離カラムまで移動相流体を流す装填位置にある間に実行される、請求項７に記載の方法。
【請求項９】
補助弁ロータが装填位置にある間にサンプルループおよび流体用配管を大気圧にするステップをさらに含む、請求項８に記載の方法。
【請求項１０】
サンプルループを大気圧にするステップが、注入弁ロータが、サンプルループを流体用配管と流体連通するように配置する注入位置にある間に実行される、請求項９に記載の方法。
【請求項１１】
流体用配管およびサンプルループを加圧するステップが、注入弁ロータが、サンプルループを流体用配管と流体連通するように配置する注入位置にある間に実行される、請求項７に記載の方法。
【請求項１２】
流体配管およびサンプルループを加圧するステップが、補助弁ロータが補助弁とカラムとの間の移動相流体の流れを阻止する充填位置にある間に実行される、請求項７に記載の方法。
【請求項１３】
流体配管と分離カラムとの間に流体連通を確立するステップが、移動相流体が１つ以上のポンプから補助弁へ、その後補助弁から注入弁へ、その後補助弁に戻ってまた流体路へ流れるように、補助弁ロータが注入位置にあって注入弁ロータが注入位置にある間に実行される、請求項７に記載の方法。
【請求項１４】
超臨界流体クロマトグラフィシステム内の移動相流体流にサンプルスラグを導入するための注入弁サブシステムであって、サブシステムは、
Ｉ）補助弁であって、
Ａ）第一の複数のステータポートを含む補助弁ステータと、
Ｂ）第一の複数の溝を含む補助弁ロータと、を含む補助弁と、
ＩＩ）注入弁であって、
Ａ）第二の複数のステータポートを含む注入弁ステータと、
Ｂ）第二の複数の溝を含む注入弁ロータと、を含む注入弁と、
ＩＩＩ）移動相流体内に導入されるサンプルスラグを受け取るために注入弁ステータと流体的に接続されたサンプルループと、
ＩＶ）補助弁ステータおよび注入弁ステータを流体的に接続する流体配管と、を含み、
補助弁ロータは、補助弁の中に異なる流体通路を形成するために、複数の個別位置の間で、補助弁ステータに対して回転可能であり、
注入弁ロータは、注入弁の中に異なる流体通路を形成するために、複数の個別位置の間で、注入弁ステータに対して回転可能であり、
補助弁ロータおよび注入弁ロータのそれぞれの位置は、補助弁と流体的に接続された分離カラムと流体連通して配置される前に、サンプルループおよび流体配管が高システム圧力まで加圧されるような方式で、連係することが可能な、注入弁サブシステム。
【請求項１５】
補助弁ロータおよび注入弁ロータのそれぞれの位置が、
補助弁を通じて流体配管およびサンプルループを大気圧にする第一構成と、
流体配管が大気中に通気する間にサンプルループにサンプルスラグを装填させる第二構成と、
補助弁に接続された１つ以上のポンプからの移動相流体の流れを通じて、第一および第二流体配管およびサンプルループを加圧させる第三構成と、
サンプルループから補助弁と流体的に接続された分離カラムまでサンプルスラグを送達させる第四構成と、を提供するために連係することが可能な、請求項１４に記載の注入弁サブシステム。
【請求項１６】
第一の複数のポートが、
流体配管と流体的に接続された第一ポートと、
大気圧にするための第二ポートと、
大気圧にするための第三ポートと、
流体配管と流体的に接続された第四ポートと、
補助弁をポンプに流体的に接続するための第五ポートと、
補助弁を分離カラムに流体的に接続するための第六ポートと、を含み、
第二の複数のポートは、
サンプルループと流体的に接続された第七ポートと、
注入弁を計量シリンジに流体的に接続するための第八ポートと、
サンプルスラグを吸引するために注入弁を針に流体的に接続するための第九ポートと、
サンプルループを介して第七ポートに流体的に接続された第十ポートと、
流体配管を介して第四ポートに流体的に接続された第十一ポートと、
流体配管を介して第一ポートに流体的に接続された第十二ポートと、を含む、請求項１５に記載の注入弁サブシステム。
【請求項１７】
流体配管が、
第一ポートおよび第十二ポートを流体的に接続する第一流体管と、
第四ポートおよび第十一ポートを流体的に接続する第二流体管と、を含む、請求項１６に記載の注入弁サブシステム。
【請求項１８】
第一の複数の溝が、
第一溝と、
第二溝と、
第三溝と、を含み、
補助弁ロータは、補助弁ステータに対して、
第一溝は第五および第六ポートを流体的に接続し、第二溝は第三および第四ポートを流体的に接続し、第三溝は第一および第二ポートを流体的に接続する、装填位置と、
第一溝は第四および第五ポートを流体的に接続し、第一、第二、第三、および第六ポートは遮断されている、充填位置と、
第一溝は第四および第五ポートを流体的に接続し、第二溝は第二および第三ポートを流体的に接続し、第三溝は第一および第六ポートを流体的に接続する、注入位置と、を含む３つの個別位置の間で回転可能である、請求項１６に記載の注入弁サブシステム。
【請求項１９】
第二の複数の溝が、
第四溝と、
第五溝と、
第六溝と、を含み、
注入弁ロータは、注入弁ステータに対して、
第四溝は第十および第十一ポートを流体的に接続し、第五溝は第八および第九ポートを流体的に接続し、第六溝は第七および第十二ポートを流体的に接続する、注入位置と、
第四溝は第九および第十ポートを流体的に接続し、第五溝は第七および第八ポートを流体的に接続し、第六溝は第十一および第十二ポートを流体的に接続する、装填位置と、を含む２つの個別位置の間で回転可能である、請求項１８に記載の注入弁サブシステム。
【請求項２０】
第一構成において、補助弁ロータが装填位置にあって注入弁ロータは注入位置にある、請求項１９に記載の注入弁サブシステム。
【請求項２１】
第二構成において、補助弁ロータが装填位置にあって注入弁ロータは装填位置にある、請求項１９に記載の注入弁サブシステム。
【請求項２２】
第三構成において、補助弁ロータが充填位置にあって注入弁ロータは注入位置にある、請求項１９に記載の注入弁サブシステム。
【請求項２３】
第四構成において、補助弁ロータが注入位置にあって注入弁ロータは注入位置にある、請求項１９に記載の注入弁サブシステム。
【請求項２４】
超臨界流体クロマトグラフィ（ＳＦＣ）システムであって、
Ｉ）分離カラムと、
ＩＩ）ＣＯ２を含む移動相流体の流れを分離カラムに送達するための１つ以上のポンプと、
ＩＩＩ）１つ以上のポンプおよび分離カラムと流体連通している注入弁サブシステムであって、注入弁サブシステムは、
Ａ）補助弁であって、
ｉ）１つ以上のポンプおよび分離カラムと流体連通しており、第一の複数のステータポートを含む、補助弁ステータと、
ｉｉ）第一の複数の溝を含む補助弁ロータと、を含む補助弁と、
Ｂ）注入弁であって、
ｉ）第二の複数のステータポートを含む注入弁ステータと、
ｉｉ）第二の複数の溝を含む注入弁ロータと、を含む注入弁と、
Ｃ）移動相流体流れ内に導入されるサンプルスラグを受け取るために注入弁ステータと流体的に接続されたサンプルループと、
Ｄ）補助弁ステータおよび注入弁ステータを流体的に接続する流体配管と、を含む注入弁サブシステムとを含み、
補助弁ロータは、補助弁の中に異なる流体通路を形成するために、複数の個別位置の間で、補助弁ステータに対して回転可能であり、
注入弁ロータは、注入弁の中に異なる流体通路を形成するために、複数の個別位置の間で、注入弁ステータに対して回転可能であり、
補助弁ロータおよび注入弁ロータのそれぞれの位置は、分離カラムと流体連通して配置される前に、サンプルループおよび流体用配管が移動相流体を用いて高システム圧力まで加圧されるような方式で、連係することが可能な、ＳＦＣシステム。
【請求項２５】
補助弁ロータおよび注入弁ロータのそれぞれの位置が、
補助弁を通じて流体用配管およびサンプルループを大気圧にする第一構成と、
流体用配管が大気中に通気する間にサンプルループにサンプルスラグを装填させる第二構成と、
１つ以上のポンプからの移動相流体の流れを通じて、第一および第二流体用配管およびサンプルループを加圧させる第三構成と、
サンプルループから分離カラムまでサンプルスラグを送達させる第四構成と、を提供するために連係することが可能な、請求項２４に記載のＳＦＣシステム。
【請求項２６】
第一の複数のポートが、
流体用配管と流体的に接続された第一ポートと、
大気圧にするための第二ポートと、
大気圧にするための第三ポートと、
流体用配管と流体的に接続された第四ポートと、
１つ以上のポンプと流体的に接続された第五ポートと、
分離カラムと流体的に接続された第六ポートと、を含み、
第二の複数のポートは、
サンプルループと流体的に接続された第七ポートと、
流入弁を計量シリンジに流体的に接続するための第八ポートと、
サンプルスラグを吸気するために注入弁を針に流体的に接続するための第九ポートと、
サンプルループを介して第七ポートに流体的に接続された第十ポートと、
流体配管を介して第四ポートに流体的に接続された第十一ポートと、
流体配管を介して第一ポートに流体的に接続された第十二ポートと、を含む、請求項２５に記載のＳＦＣシステム。
【請求項２７】
流体配管が、
第一ポートおよび第十二ポートを流体的に接続する第一流体管と、
第四ポートおよび第十一ポートを流体的に接続する第二流体管と、を含む、請求項２６に記載のＳＦＣシステム。
【請求項２８】
第一の複数の溝が、
第一溝と、
第二溝と、
第三溝と、を含み、
補助弁ロータは、補助弁ステータに対して、
第一溝は第五および第六ポートを流体的に接続し、第二溝は第三および第四ポートを流体的に接続し、第三溝は第一および第二ポートを流体的に接続する、装填位置と、
第一溝は第四および第五ポートを流体的に接続し、第一、第二、第三、および第六ポートは遮断されている、充填位置と、
第一溝は第四および第五ポートを流体的に接続し、第二溝は第二および第三ポートを流体的に接続し、第三溝は第一および第六ポートを流体的に接続する、注入位置と、を含む３つの個別位置の間で回転可能である、請求項２６に記載のＳＦＣシステム。
【請求項２９】
第二の複数の溝が、
第四溝と、
第五溝と、
第六溝と、を含み、
注入弁ロータは、注入弁ステータに対して、
第四溝は第十および第十一ポートを流体的に接続し、第五溝は第八および第九ポートを流体的に接続し、第六溝は第七および第十二ポートを流体的に接続する、注入位置と、
第四溝は第九および第十ポートを流体的に接続し、第五溝は第七および第八ポートを流体的に接続し、第六溝は第十一および第十二ポートを流体的に接続する、装填位置と、を含む２つの個別位置の間で回転可能である、請求項２８に記載のＳＦＣシステム。
【請求項３０】
第一構成において、補助弁ロータが装填位置にあって注入弁ロータは注入位置にある、請求項２９に記載のＳＦＣシステム。
【請求項３１】
第二構成において、補助弁ロータが装填位置にあって注入弁ロータは装填位置にある、請求項２９に記載のＳＦＣシステム。
【請求項３２】
第三構成において、補助弁ロータが充填位置にあって注入弁ロータは注入位置にある、請求項２９に記載のＳＦＣシステム。
【請求項３３】
第四構成において、補助弁ロータが注入位置にあって注入弁ロータは注入位置にある、請求項２９に記載のＳＦＣシステム。
【請求項３４】
分離カラムと流体的に接続された加圧流体路内に導入される前に、サンプルスラグをシステム圧力まで加圧するように、補助弁および注入弁を協力して動作させるステップと、
加圧流体路内に加圧サンプルスラグを導入するように、補助弁および注入弁を協力して動作させるステップと、を含む方法。
【請求項３５】
サンプルスラグをシステム圧力まで加圧するステップが、サンプルスラグを約１，５００ｐｓｉから約６，０００ｐｓｉの圧力まで加圧するステップを含む、請求項３４に記載の方法。
【請求項３６】
流体路が約１，５００ｐｓｉから約６，０００ｐｓｉの圧力まで加圧される、請求項３４に記載の方法。